(57)【特許請求の範囲】
【請求項１】
貯蔵物を冷却保存する貯蔵室と、
冷気を生成する冷却器と、
前記貯蔵室の背面に上下に延びて設けられる第１、第２冷気通路と、
左右方向に延びて第１、第２冷気通路を連結する連結通路と、
第１、第２冷気通路の側面に設けられる第１吐出口と、
前記連結通路の上部に設けられる第２吐出口と、
前記連結通路の下部に配されるとともに前記連結通路の上部に冷気を案内する第１案内部と、
前記連結通路を流通する冷気を前記連結通路の前部に案内する第２案内部と、
を備え、前記冷却器で生成された冷気を左右方向の一方から前記連結通路に流入させて第１吐出口から前記貯蔵室の側壁に向けて吐出したことを特徴とする冷蔵庫。
【請求項２】
前記連結通路の上方に前記冷却器を配置するとともに、前記冷却器に冷気を戻す戻り通路を前記連結通路の後方に設け、並設した第１、第２冷気通路の間に前記戻り通路を配置したことを特徴とする請求項１に記載の冷蔵庫。
【発明の詳細な説明】
【技術分野】
【０００１】
本発明は、冷却器で生成した冷気を貯蔵室に吐出する冷気通路を備えた冷蔵庫に関する。
【背景技術】
【０００２】
従来の冷蔵庫は特許文献１に開示されている。図７、図８はこの冷蔵庫の概略構成を示す正面断面図及び側面断面図である。冷蔵庫１は上部に冷凍室２が設けられ、冷凍室２の下方には冷蔵室３が設けられる。冷凍室２と冷蔵室３とは断熱材を充填した仕切壁４により仕切られる。冷凍室２の前面は扉２ａにより開閉され、冷蔵室３の前面は扉３ａにより開閉される。
【０００３】
冷凍室２の背面には冷気を生成する冷却器５が配され、冷却器５の上方には送風ファン６が配される。冷却器５及び送風ファン６は冷凍室２の背面に設けた冷凍室ダクト（不図示）内に配される。冷凍室ダクトには冷凍室３に臨んで開口する戻り口（不図示）が冷却器５の下方に設けられる。
【０００４】
冷却器５の側方には送風ファン６の排気側に連結される連通路７が設けられる。冷蔵室３の背面の左右方向の中央部には連通路７に連通する吐出通路８が鉛直方向に延びて設けられる。吐出通路８の両側部には冷気を吐出する吐出口８ａが開口する。仕切壁４内には冷蔵室３の前部に開口する戻り口９ａを有した戻り通路９が設けられる。戻り通路９は冷却器５の下方で冷凍室３の冷凍室ダクトに接続される。
【０００５】
上記構成の冷蔵庫１において、冷却器５と熱交換して生成される冷気は送風ファン６の駆動によって矢印Ｄ１に示すように冷凍室２内に吐出される。冷凍室２に吐出された冷気は冷凍室２内を流通して貯蔵物を冷却し、冷凍室ダクトの戻り口を介して冷却器５に戻る。
【０００６】
また、冷凍室ダクトを流通する冷気は送風ファン６の排気側で分岐し、矢印Ｄ２に示すように連通路７を流通して吐出通路８を流通する。吐出通路８を流通する冷気は吐出口８ａから矢印Ｄ３に示すように冷蔵室３内に吐出される。冷蔵室３内に吐出された冷気は冷蔵室３内を流通して貯蔵物を冷却し、矢印Ｄ４に示すように冷蔵室３の前部で戻り口９ａから戻り通路９に流入する。戻り通路９を流通する冷気は矢印Ｄ５に示すように冷凍室３の冷凍室ダクトを介して冷却器５に戻る。
【０００７】
【特許文献１】特許第３８９２８１４号公報（第４頁−第８頁、第１図）
【発明の開示】
【発明が解決しようとする課題】
【０００８】
しかしながら、上記従来の冷蔵庫１によると、吐出通路８の両側部に吐出口８ａが設けられるため冷蔵庫の幅が広くなると吐出口８ａから冷蔵室３の側壁までの距離が大きくなる。このため、冷蔵室３の隅々まで冷気が行き届かずに温度分布が不均一になる問題があった。
【０００９】
本発明は、貯蔵室の温度分布を均一にできる冷蔵庫を提供することを目的とする。
【課題を解決するための手段】
【００１０】
上記目的を達成するために本発明は、貯蔵物を冷却保存する貯蔵室と、冷気を生成する冷却器と、前記貯蔵室の背面に上下に延びて設けられる第１、第２冷気通路と、左右方向に延びて第１、第２冷気通路を連結する連結通路と、第１、第２冷気通路に設けられる吐出口とを備え、前記冷却器で生成された冷気を左右方向の一方から前記連結通路に流入させて前記吐出口から前記貯蔵室に吐出したことを特徴としている。
【００１１】
この構成によると、冷却器で生成された冷気は貯蔵室の背面に配された第１冷気通路または第２冷気通路に流入する。第１、第２冷気通路の一方に流入した冷気の一部は左右の一方から連結通路に流入して第１、第２冷気通路の他方に流入する。冷気は第１、第２冷気通路を下方に流通し、第１、第２冷気通路に設けた吐出口から貯蔵室内に吐出される。
【００１２】
また本発明は、上記構成の冷蔵庫において、前記吐出口を更に前記連結通路の上部に設け、前記連結通路の下部に配されるとともに前記連結通路の上部に冷気を案内する第１案内部と、前記連結通路を流通する冷気を前記連結通路の前部に案内する第２案内部とを備えたことを特徴としている。
【００１３】
この構成によると、連結通路を流通する冷気は第１案内部によって上方に案内され、第２案内部によって前面側に案内される。その結果、連結通路の上部に設けた吐出口から貯蔵室内に冷気が吐出される。
【００１４】
また本発明は、上記構成の冷蔵庫において、前記冷却器で生成された冷気を第１、第２冷気通路の一方に流入させる流入口を備え、前記流入口の下方に配されて前記連結通路に冷気を案内する第３案内部を備えたことを特徴としている。この構成によると、流入口から第１冷気通路または第２冷気通路に流入した冷気は第３案内部によって左右に延びる連結通路の方向に導かれる。
【００１５】
また本発明は、上記構成の冷蔵庫において、第１冷気通路または第２冷気通路は上部を左右方向に屈曲して前記連結通路と略同じ高さに配される屈曲部を有し、前記流入口を前記屈曲部の上部に設けるとともに、前記屈曲部の底面によって第３案内部を形成したことを特徴としている。
【００１６】
また本発明は、上記構成の冷蔵庫において、前記連結通路の上方に前記冷却器を配置したことを特徴としている。この構成によると、冷却器と熱交換した後の冷気は冷却器の側方を通って第１冷気通路に流入する。
【００１７】
また本発明は、上記構成の冷蔵庫において、前記冷却器に冷気を戻す戻り通路を前記連結通路の後方に設けたことを特徴としている。この構成によると、貯蔵室を流通した冷気は戻り通路に流入し、連結通路の後方を通って冷却器に戻る。
【００１８】
また本発明は、上記構成の冷蔵庫において、並設した第１、第２冷気通路の間に前記戻り通路を配置したことを特徴としている。
【発明の効果】
【００１９】
本発明によると、上下に延びて貯蔵室の背面に設けられる第１、第２冷気通路を連結する左右に延びた連結通路を設け、左右方向の一方から連結通路に冷気が流入するので、貯蔵室の横幅が広くなっても吐出口から貯蔵室の隅々まで冷気を行き届かせることができる。従って、貯蔵室の温度分布を均一にすることができる。
【００２０】
また本発明によると、吐出口を連結通路の上部に配して連結通路の上部及び前部に冷気を案内する第１、第２案内部を設けたので、連結通路の上下方向の幅を広くすることができる。これにより、吐出口を貯蔵室の上部に配して貯蔵室内の冷却効率を向上できるとともに、冷気の流通面積を広く確保して流通抵抗を小さくし、送風効率を向上することができる。特に、連結通路の後方に戻り通路等が配されて連結通路の奥行を大きくできない場合に容易に流通面積を広く確保することができる。
【００２１】
また本発明によると、第１冷気通路または第２冷気通路に冷気を流入させる流入口の下方に配されて連結通路に冷気を案内する第３案内部を備えたので、第１、第２冷気通路に均等に冷気を流通させて貯蔵室の温度分布を均一にすることができる。
【００２２】
また本発明によると、第１冷気通路または第２冷気通路を屈曲した屈曲部の上部に流入口を配し、屈曲部の底面によって第３案内部を容易に形成することができる。
【００２３】
また本発明によると、連結通路の上方に冷却器が配置されるので、冷却器と熱交換して冷却器の側方を通る冷気を偏って配される第１冷気通路に簡単に流入させることができる。従って、連結通路によって第１、第２冷気通路を冷気が流通して貯蔵室の温度分布を容易に均一にすることができる。
【００２４】
また本発明によると、冷却器に冷気を戻す戻り通路を連結通路の後方に設けたので、戻り通路を迂回させずに短い距離で形成することができる。従って、戻り通路の流通抵抗を低減して送風効率を向上することができる。
【００２５】
また本発明によると、戻り通路を第１、第２冷気通路の間に配置したので、他の貯蔵室との仕切壁に戻り通路を設ける必要がなく仕切壁の厚みを小さくすることができる。従って、冷蔵庫の容積効率を向上することができる。
【発明を実施するための最良の形態】
【００２６】
以下に本発明の実施形態を図面を参照して説明する。説明の便宜上、前述の図７、図８に示す従来例と同様の部分には同一の符号を付している。図１、図２は一実施形態の冷蔵庫を示す側面断面図及び正面断面図である。冷蔵庫１は上部に冷凍室２が設けられ、冷凍室２の下方には冷蔵室３（貯蔵室）が設けられる。冷凍室２と冷蔵室３とは断熱材を充填した仕切壁４により仕切られる。冷凍室２の前面は扉２ａにより開閉され、冷蔵室３の前面は扉３ａにより開閉される。
【００２７】
冷凍室２の背面には冷凍室ダクト１０が設けられる。冷凍室ダクト１０の前面側の上部には吐出口１０ａが設けられ、下部には戻り口１０ｂが設けられる。冷凍室ダクト１０内には冷気を生成する冷却器５が配され、冷却器５の上方に送風ファン６が配される。冷却器５の下方には冷却器５の除霜水を回収するドレンパン１１が設けられる。また、冷凍室ダクト１０は送風ファン６の排気側で分岐して冷却器５の右方に配された連通路７を有している。
【００２８】
冷蔵室３の上部にはチルド温度帯等の低温保存が可能な低温ケース１８が配される。低温ケース１８の背面は開口し、後述する吐出口２０ｃから冷気が流入する。低温ケース１８の下方には樹脂成形品により形成して貯蔵物を載置する複数の載置棚１３が設けられる。載置棚１３は冷蔵室３の側壁に突設された複数のレール１３ａの上面に載せられ、高さ方向の位置を貯蔵物にあわせて適時変えられるようになっている。
【００２９】
冷蔵室３の下部には隔離室から成る野菜室１６が設けられる。野菜室１６は樹脂成形品により形成された板状の仕切部１４により冷蔵室３の上部と仕切られる。仕切部１４の上下は仕切部１４の前方の連通部１４ａで連通する。また、仕切部１４の後端には開口部１４ｂが設けられる。野菜室１６内には仕切部１４により上面が塞がれる収納ケース１５が出し入れ自在に配される。収納ケース１５は野菜室１６の壁面との間に冷気が流通する隙間１６ａを有して配される。
【００３０】
冷蔵室３の背面には鉛直方向に延びた吐出通路２０及び戻り通路２３が並設される。図３は図２のＡ−Ａ断面図を示している。吐出通路２０及び戻り通路２３は複数の通路を有した発泡樹脂成形品の断熱材から成るダクト２６を冷蔵室３の背壁に取り付けて形成される。これにより、吐出通路２０と戻り通路２３とが一体に形成され、部品点数を削減することができる。
【００３１】
ダクト２６の上記各通路は断熱材によって隔てられる。このため、吐出通路２０を流通する冷気と戻り通路２３を流通する冷気に温度差があっても、これらの間の冷熱の受け渡し量が微小となる。このため、吐出通路２０を流通する冷気の冷熱が戻り通路２３を流通する冷気に伝達されることによる冷蔵室３の冷却効率の低下を防止することができる。
【００３２】
また、ダクト２６の前面側は樹脂成形品から成るパネル２７により覆われている。ダクト２６とパネル２７とは夫々に設けた凹部と凸部とが係合して一体となり、冷蔵室３の背面に着脱自在に取り付けられている。
【００３３】
図２において、吐出通路２０は上下に延びて並設される第１、第２冷気通路２１、２２を有している。第１、第２冷気通路２１、２２は上部で左右に延びる連結通路２０ａによって連結されて分岐し、戻り通路２３の左右にそれぞれ配される。第１冷気通路２１の右側面及び第２冷気通路２２の左側面には冷気を吐出する複数の吐出口２０ｂがそれぞれ設けられる。
【００３４】
冷蔵室３の背面の右方に偏って配置される第１冷気通路２１は上部をＬ字型に屈曲して屈曲部２１ａが形成される。屈曲部２１ａは連結通路２０ａの延長上に形成される。屈曲部２１ａの上部には連通路７から冷気が流入する流入口２１ｂが設けられる。図４の側面断面図に示すように、流入口２１ｂには冷気量を可変するダンパ１７が設けられる。従って、吐出通路２０はダンパ１７を介して連通路７に連通する。
【００３５】
流入口２１ｂから第１冷気通路２１に流入する冷気は屈曲部２１ａの底面３３（第３案内部）によって連結通路２０ａの方向に導かれる。屈曲部２１ａの右下のコーナー部は曲面に形成され、連結通路２０ａの方向に冷気を円滑に導くことができる。
【００３６】
連結通路２０ａの上部には低温ケース１８（図１参照）に対向する吐出口２０ｃが形成される。連結通路２０ａの下部には傾斜面から成る第１案内部３１を有したリブ３０が突設される。第１案内部３１は上方及び第１冷気通路２１側に面して形成される。第１案内部３１の下方には屈曲部２１ａに対向する鉛直な当接面３０ａが設けられる。
【００３７】
図５は図２のＢ−Ｂ断面図を示している。戻り通路２３は上部で左右に分岐した第１、第２分岐路２４、２５を有している。第１、第２分岐路２４、２５の間にはドレンパン１１から導出される排水パイプ１２が配される。連結通路２０ａは第１、第２分岐路２４、２５の前面側に配される。排水パイプ１２を覆うダクト２６には前方及び第１冷気通路２１側に面した傾斜面から成る第２案内部３２が設けられる。
【００３８】
屈曲部２１ａの底面３３によって連結通路２０ａの方向に案内される冷気の一部は第１冷気通路２１を流下する。また、冷気の一部は当接面３０ａに当接して第１冷気通路２１に導かれる。連結通路２０ａに流入した冷気は第１、第２案内部３１、３２によって連結通路２０ａの前面上部に案内され、吐出口２０ｃに導かれる。
【００３９】
尚、当接面３０ａの位置を第１冷気通路２１から連結通路２０ａの下流側（図２において左方向）に離れて配置してもよい。この時、当接面３０ａの高さを調節することによって上記と同様の効果を得ることができる。当接面３０ａは鉛直面でなくてもよく、傾斜面や曲面にしてもよい。例えば、当接面３０ａの上端を第１冷気通路２１側に突出し、当接面３０ａを曲面や下方に面した傾斜面に形成してもよい。
【００４０】
また、リブ３０の下流側の面が鉛直面になっているが、曲面や傾斜面にしてもよい。これにより、リブ３０を通過した冷気の渦流を防止し、流通抵抗の低減や騒音の低減を図ることができる。また、リブ３０を連結通路２０ａの底面上に突設して第１案内部３１及び当接面３０ａを形成しているが、戻り通路２３の壁面に連続して第１案内部３１及び当接面３０ａの壁面を形成してもよい。
【００４１】
また、屈曲部２１ａの底面３３をリブ３０側に延長して第１冷気通路２１の流路面積を縮小し、第１、第２冷気通路２１、２２の冷気流量を調整してもよい。連結通路２０ａの底面を第１冷気通路２１側に延長して第１冷気通路２１の流路面積を縮小してもよい。
【００４２】
図６は戻り通路２３を通る断面を示す側面断面図である。第１、第２分岐路２４、２５は冷凍室ダクト１０の背面側に配される。冷却器５の下方で冷凍室ダクト１０の背面側に開口した連通口２４ａ、２５ａを介して冷凍室ダクト１０と第１、第２分岐路２４、２５とが連通する。
【００４３】
戻り通路２３は前面側を覆うパネル２７の下端に正面に開口する戻り口２３ａが設けられる。また、戻り通路２３は下面が開口し、開口部１４ｂ（図１参照）に面した戻り口２３ｂが形成される。戻り口２３ａ、２３ｂは仕切部１４（図１参照）の上方に配される。
【００４４】
ドレンパン１１の排水口１１ａの下方には排水パイプ１２の受け部１２ａが配される。図６に示すように、受け部１２ａは第１、第２分岐路２４、２５の前方に配される。排水パイプ１２は受け部１２ａから第１、第２分岐路２４、２５の間を通って後方に延び、戻り通路２３の背後に配されて下方に延びる。ドレンパン１１に溜まる除霜水は排水パイプ１２を介して蒸発皿（不図示）に排水される。従って、戻り通路２３は第１、第２分岐路２４、２５に分岐して流路面積が縮小されず、戻り通路２３と排水パイプ１２の干渉を簡単に防止することができる。
【００４５】
上記構成の冷蔵庫１において、送風ファン６の駆動によって冷凍室ダクト１０を流通する空気は冷却器５と熱交換して冷気が生成される。冷却器５により生成された冷気は吐出口１０ａから矢印Ｅ１（図１参照）に示すように冷凍室２内に吐出される。冷凍室２に吐出された冷気は冷凍室２内を流通して貯蔵物を冷却し、戻り口１０ｂを介して冷却器５に戻る。
【００４６】
また、送風ファン６の排気側で冷気は矢印Ｅ２（図２、図４参照）に示すように分岐し、連通路７を流通する。連通路７を流下する冷気はダンパ１７により開いた流入口２１ｂを介して第１冷気通路２１に流入し、屈曲部２１ａの底面３３に当接して連結通路２０ａの方向に向きを変える。冷気は屈曲部２１ａからＬ字型の第１冷気通路２１を下方に流通するとともに、リブ３０の当接面３０ａで当接して下方に導かれる。これにより、冷気が矢印Ｅ５（図２、図４参照）に示すように第１冷気通路２１を流下する。
【００４７】
リブ３０の第１案内部３１に当接する冷気は上方に導かれ、一部が矢印Ｅ３（図１参照）に示すように吐出口２０ｃを介して低温ケース１８内に吐出される。この時、第２案内部３２によって冷気が前方へ導かれ、吐出口２０ｃから冷気を容易に吐出させることができる。連結通路２０ａを更に左方に流通する冷気は矢印Ｅ４（図２、図４参照）に示すように第２冷気通路２２を流下する。
【００４８】
低温ケース１８はダンパ１７を通過した冷気が直ちに多量に供給されるため低温に維持される。低温ケース１８内を流通した冷気は主に低温ケース１８の前面側から冷蔵室３内に流出する。第１案内部３１を高く形成して第２案内部３２の前方への突出量を大きくするとともに吐出口２０ｃを広くすると、吐出口２０ｃからの冷気量が増加する。これにより、低温ケース１８を更に低温に維持することができる。また、第１案内部３１によって連結通路２０ａに流入する冷気の流路面積を調節することにより第１、第２冷気通路２１、２２の冷気量を均等にすることができる。
【００４９】
尚、低温ケース１８内の冷気の冷熱や冷却された貯蔵物の冷熱は低温ケース１８の下面から下方へ放出される。低温ケース１８の下方に配された貯蔵物は低温ケース１８の前方に送られる冷気の降下により直接冷却され、低温ケース１８の下面側から放出される冷熱により間接冷却される。
【００５０】
これにより、後述する吐出口２０ｂから吐出される冷気の量を少なくしても冷蔵室３の下部を充分冷却することができる。特に、下段の吐出口２０ｂから吐出される冷気量を抑えることができることになる。従って、冷気が貯蔵物に直接当ることによる貯蔵物の乾燥を極力抑制できるようになる。
【００５１】
第１、第２冷気通路２１、２２を流下する冷気は吐出口２０ｂから矢印Ｅ６（図１〜図４参照）に示すように冷蔵室３内に吐出される。この時、吐出口２０ｂは第１、第２冷気通路２１、２２の側面に設けられるため、図２、図３に示すように側方に向けて吐出される。
【００５２】
冷蔵室３内に吐出された冷気は矢印Ｅ７（図１、図４参照）に示すように載置棚１３に沿って前方へ流通する。吐出口２０ｂが上下方向に複数設けられるので複数の載置棚１３により仕切られた各段の貯蔵物を容易に冷却することができる。尚、吐出口２０ｂが設けられない段の貯蔵物の場合は、上下の載置棚１３に沿って流通する冷気により載置棚１３を介して間接的に冷却される。
【００５３】
載置棚１３に沿って流通する冷気は載置棚１３の前方で矢印Ｅ８（図１、図４参照）に示すように降下する。冷蔵室３の前部を降下する冷気の一部は仕切部１４上を矢印Ｅ９（図１参照）に示すように流通し、正面側の戻り口２３ａを介して戻り通路２３に流入する。
【００５４】
また、冷蔵室３の前部を降下する冷気の一部は仕切部１４の前方の連通部１４ａを介して野菜室１６内に流入する。野菜室１６に流入した冷気は矢印Ｅ１０（図１参照）に示すように収納ケース１５の周囲の隙間１６ａを流通する。尚、隙間１６ａは収納ケース１５の側方にも設けられる。
【００５５】
収納ケース１５の周囲を流通する冷気は後方の開口部１４ｂを介して仕切部１４の上方に導かれ、下面側の戻り口２３ｂを介して戻り通路２３に流入する。収納ケース１５は上面を塞ぐ仕切部１４に沿って流通する冷気（Ｅ９）と、周囲の隙間１６ａを流通する冷気（Ｅ１０）によって内部の貯蔵物が間接冷却される。
【００５６】
戻り通路２３に流入した冷気は矢印Ｅ１１（図２、図６参照）に示すように上昇する。戻り通路２３を上昇する冷気は矢印Ｅ１２、Ｅ１３（図２、図６参照）に示すように第１、第２分岐路２４、２５に分岐する。第１、第２分岐路２４、２５を流通する冷気は連通口２４ａ、２５ａを介して冷凍室ダクト１０に流入し、冷却器５に戻る。
【００５７】
左右に設けた連通口２４ａ、２５ａを介して冷気を冷却器５に戻すため、連通口２４ａ、２５ａの開口面積を適切に形成することによって冷却器５に戻る冷気量を調整できる。これにより、冷却器５の霜付きの状態を容易に調整することができ、左右方向で均一に霜を付着させることができる。
【００５８】
従って、除霜の効率を向上することができ、除霜時間の短縮による省電力化を図ることができる。特に、冷却器５の左右方向の幅が大きい場合にこの効果が大きい。このため、冷却器５の左右方向の幅を大きくした際に、冷却器５の熱交換量が増加して冷却効率の向上が図られるとともに除霜時の電力消費を抑制することができる。
【００５９】
本実施形態によると、上下に延びて冷蔵室３の背面に設けられる第１、第２冷気通路２１、２２を連結する左右に延びた連結通路２０ａを設け、左右方向の一方から連結通路２０ａに冷気が流入するので、冷蔵室３の横幅が広くなっても吐出口２０ｂから冷蔵室３の隅々まで冷気を行き届かせることができる。従って、冷蔵室３の温度分布を均一にすることができる。尚、第１冷気通路２１の流入口２１ｂに替えて第２冷気通路２２に流入口を形成してもよい。
【００６０】
また、吐出口２０ｃを連結通路２０ａの上部に配して連結通路２０ａの上部及び前部に冷気を案内する第１、第２案内部３１、３２を設けたので、連結通路２０ａの上下方向の幅を広くすることができる。これにより、吐出口２０ｃを冷蔵室３の上部に配して冷蔵室３内の冷却効率を向上できるとともに、冷気の流通面積を広く確保して流通抵抗を小さくし、送風効率を向上することができる。特に、連結通路２０ａの後方に第１、第２分岐路２４、２５が配されて連結通路２０ａの奥行を大きくできない場合に容易に流通面積を広く確保することができる。
【００６１】
また、第１冷気通路２１の流入口２１ｂの下方に設けた屈曲部２１ａの底面３３（第３案内部）によって連結通路２０ａに冷気を案内するので、第１、第２冷気通路２１、２２に均等に冷気を流通させて冷蔵室３の温度分布を更に均一にすることができる。
【００６２】
また、連結通路２０ａの上方に冷却器５が配置されるので、冷却器５と熱交換して冷却器５の側方の連通路７を通る冷気を右方向に偏って配される第１冷気通路２１に簡単に流入させることができる。従って、連結通路２０ａによって第１、第２冷気通路２１、２２を冷気が流通して冷蔵室３の温度分布を容易に均一にすることができる。
【００６３】
また、冷却器５に冷気を戻す戻り通路２３の第１、第２分岐路２４、２５を連結通路２０ａの後方に設けたので、戻り通路２３を迂回させずに短い距離で形成することができる。従って、戻り通路２３の流通抵抗を低減して送風効率を向上することができる。
【００６４】
また、戻り通路２３を第１、第２冷気通路２１、２２の間に配置したので、他の貯蔵室との仕切壁に戻り通路２３を設ける必要がなく仕切壁の厚みを小さくすることができる。従って、冷蔵庫１の容積効率を向上することができる。
【００６５】
また、戻り通路２３の両側方に第１、第２冷気通路２１、２２を配置して戻り口２３ａが下部に配置され、吐出口２０ｂが上部の第１、第２冷気通路２１、２２の側面に配置されるので、冷蔵室３の側方に吐出された冷気が降下して略中央部の戻り口２３ａに戻る。従って、冷蔵室３内を冷気が循環し、ショートサーキットを防止して冷却効率を向上できるとともに冷蔵室３内の温度を均一にすることができる。吐出口２０ｂは戻り通路２３から離れた側部に配置されていれば正面に向けて形成してもよい。
【００６６】
尚、戻り口２３ａ、２３ｂと吐出口２０ｂとの間を載置棚１３により仕切るとより望ましい。これにより、吐出口２０ｂから吐出された冷気のショートサーキットをより確実に防止することができる。従って、冷却効率がより向上するとともに、冷蔵室３内の温度をより均一にすることができる。これにより、背面に吐出通路２０と戻り通路２３を設けて仕切壁４の厚みを少なくして冷蔵室３の容積を大きくしても、冷却効率のよい冷蔵庫１を得ることができる。
【００６７】
また、野菜室１６を仕切る仕切部１４により上面が塞がれる収納ケース１５を周囲に隙間１６ａを有して野菜室１６内に配し、戻り通路２３を配した背面から離れた前面側で仕切部１４の上下が連通して冷気が収納ケース１５の周囲を流通して戻り口２３ｂに導かれるので、収納ケース１５内の貯蔵物を間接冷却して貯蔵物の乾燥を防止することができる。
【産業上の利用可能性】
【００６８】
本発明によると、冷却器で生成した冷気を貯蔵室に吐出する冷気通路を備えた冷蔵庫に利用することができる。
【図面の簡単な説明】
【００６９】
【図１】本発明の実施形態の冷蔵庫を示す側面断面図
【図２】本発明の実施形態の冷蔵庫を示す正面断面図
【図３】図２のＡ−Ａ断面図
【図４】本発明の実施形態の冷蔵庫の吐出通路を通る断面を示す側面断面図
【図５】図２のＢ−Ｂ断面図
【図６】本発明の実施形態の冷蔵庫の戻り通路を通る断面を示す側面断面図
【図７】従来の冷蔵庫を示す正面断面図
【図８】従来の冷蔵庫を示す側面断面図
【符号の説明】
【００７０】
１    冷蔵庫
２    冷凍室
３    冷蔵室
４    仕切壁
５    冷却器
６    送風ファン
７    連通路
８、２０  吐出通路
８ａ、２０ｂ、２０ｃ  吐出口
９、２３  戻り通路
９ａ、２３ａ、２３ｂ  戻り口
１０    冷凍室ダクト
１１    ドレンパン
１２    排水パイプ
１３    載置棚
１４    仕切部
１４ｂ  開口部
１５    収納ケース
１６    野菜室
１７    ダンパ
１８    低温ケース
２１    第１冷気通路
２１ａ  屈曲部
２１ｂ  流入口
２２    第２冷気通路
２４    第１分岐路
２５    第２分岐路
２６    ダクト
２７    パネル
３０    リブ
３１    第１案内部
３２    第２案内部
３３    底面（第３案内部）
【図１】
0004876033.tif 000002
【図２】
0004876033.tif 000003
【図３】
0004876033.tif 000004
【図４】
0004876033.tif 000005
【図５】
0004876033.tif 000006
【図６】
0004876033.tif 000007
【図７】
0004876033.tif 000008
【図８】
0004876033.tif 000009